Podtech/llm-jp-corpus-v4-ja_patent huggingface dataset:
(57)【要約】      （修正有）【課題】靴紐が靴の孔を通す場合に、その紐の中心が、常に靴に対して半分づつとなるように配置できる靴紐を提供する。【解決手段】靴紐３の長さ方向の真中にガラスビーズ３０を配置する。該靴紐３は、靴１に設けられた孔２の先端部から、ガラスビーズ３０の部分を中心に配置して、結び始める。ガラスビーズ３０は、ガラスではなく、プラスチックや宝石類を採用しても良い。【選択図】図１
0003146249.tif 000002
【実用新案登録請求の範囲】
【請求項１】
靴の着脱に使用される結び目である靴の孔に挿入される靴紐において、該靴紐は、その中心に中央表示部となる部材を配置して、靴へ挿入後において、該部材が靴の孔の両側において設けられるようにしてなることを特徴とする靴紐
【請求項２】
前記靴紐において、中央表示部となる部材の両側に沿って、アクセサリーが配置され、且つ該アクセサリーは、靴紐が結ばれたときに、孔対孔の位置に配置されるようになっていることは特徴とする請求項１記載の靴紐
【請求項３】
前記中央表示部となる部材は、ガラスビーズ、宝石類からなることを特徴とする請求項１叉は２記載の靴紐
【考案の詳細な説明】
【技術分野】
【０００１】
本考案は、靴を結ぶ靴紐の改良に関するものである。
【背景技術】
【０００２】
現在、靴を結ぶ靴紐は、実際に靴を結ぶ際に、その中心が定まらず、最終の段階で片方が足りなくなって結べなかったりして困る問題点がある。更に外部からの見てくれもよくない。又、紐自体も他に対する一つのデザインであるが、その装飾性がないこともあった。
【特許文献１】特開平１０−３０９２０２号公報
【特許文献２】登録実用新案第３００１３４７号
【考案の開示】
【考案が解決しようとする課題】
【０００３】
本考案が、解決しようとする問題点は、靴紐が靴の孔を通す場合に、その紐の中心が、常に靴に対して半分づつとなるように配置できる構造を得ることにある。
【課題を解決するための手段】
【０００４】
本考案は、靴紐の中心に対して単数又は複数のガラスビーズ等を配置しておき、靴の紐に通すときに、その部分が先端の孔の部分で配置する構造を提供する。
【０００５】
更に、靴紐の中心から両端側に装飾性のあるビーズを配置することの構造を提供する。
【考案の効果】
【０００６】
本考案の靴紐は、常に靴を結ぶときに、その中心が靴孔に対して中央となってしっかりとバランスがとれて結ぶことが出来、又デザイン的にも、装飾性もあるものが得られる。
【考案を実施するための最良の形態】
【０００７】
図１の(1)〜（３）に示されるものは、本考案の一実施例である。
靴１の結び目となる孔２、２，２…が、図１の（２）に示されるように、両側に複数個並んで開いている。左右に並んでいる孔２の先端から、靴紐３が通されることになる
【０００８】
靴紐３は、図１の（２）に示されるように、その靴紐３の真ん中に中心部材であるガラスビーズ３０が配置される。中心部材３０は、外部から見て反射するような部材が好ましい。であるから、ガラス以外にもプラスチックや宝石類も採用できるのは勿論である。
従って、実用上だけでなく、反射して輝くことで装飾性のあるものとなって、相乗の作用が奏せられる。
【０００９】
該中心部材であるガラスビーズ３０は、通常のように靴１に対して、左右に組み込まれるが、その場合に、真ん中の該中心部材であるガラスビーズ３０が、靴１に通せば左右に並んでいる孔２の先端において、図１の(2)に示されるようにガラスビーズ３０が配置されることになる。
すると、靴紐３は、常に孔２、２、２…において、自動的にその中心に置かれ紐の左右が半々となるのが理解される。
【００１０】
又、靴紐３は、その孔２，２，２…の左右両側に、適宜の間隔を置いて、通させられるが、その孔２，２との間に置かれるように、キラキラ・アクセリー４を設けるものである。
【００１１】
キラキラ・アクセリー４は、ガラスビーズの外、チェコFP、チェコパールなどが使用でき、光を反射して輝くものが使用することが可能である。
その取付けは、図１の（３）に示されるように、紐や指輪のように針金等で固定される。図１の（３）に示されるように、頭にある光反射するガラスや宝石類に対して、針金４０で結び、それを曲げることで靴紐３に簡単に取り付けることや移動も容易である。
勿論、アクセサリーとしては、この他、反射式のものではなく、花柄のボタン状のものや、彫金の細工物、瀬戸物による飾りもの等種々のものが当業者によって考えられるのは明らかである。
【００１２】
従って、その間隙は、必要に応じて適宜簡単に調整することが可能である。
例えば、図１の（２）に示されるように、キラキラ・アクセサリー４が靴１の孔２，２の真ん中にくるように配置すれば、靴１の真ん中が反射して光るものとしてでデザインされる。これは、靴全体のバランス感覚からも調和し、装飾としても優れたものとなる。
【００１３】
本考案は、上記実施例に限定されることなく、当業者によって、本考案の技術思想の範囲内で種々の変形が可能であることは当然である。
【図面の簡単な説明】
【００１４】
【図１】本考案の一実施例である靴紐を示した説明図である。
【符号の説明】
【００１５】
１      靴
２      孔
３      靴紐
４      キラキラ・アクセリー
【図１】
0003146249.tif 000003
(57)【要約】      （修正有）【課題】中身詰め替え時、内ブタ紙全てを取る事なく、次回から、わざわざスプーンを使うわずらわしさを無くし、気軽にカップに中身を出せる市販コーヒーびん用のプラスチックパッキンを提供する。【解決手段】市販コーヒーびんの紙製の中ブタをはがし、各メーカー規格の直径にあわせたプラスチック製の中ブタを取り付け、１ヶ所にコーヒーを好きなだけ取り出せる様に１〜１．５ｃｍ大の穴を開けて、パッキンを構成する。【選択図】図２
0003146295.tif 000002
【実用新案登録請求の範囲】
【請求項１】
市販コーヒーびんの紙製の中ブタをはがし、各メーカー規格の直径にあわせたプラスチック製の中ブタを取り付け、１ヶ所にコーヒーを好きなだけ取り出せる様に１〜１．５ｃｍ大の穴を開けた、低コスト、くり返し使える「スプーンいらずパッキン」。
【考案の詳細な説明】
【技術分野】
【０００１】本考案は、市販コーヒーびんの中ブタにプラスチック製の取りはずし可能な穴開きフリカケ部を設けたパッキンに関するものである。
【背景技術】
【０００２】いつも中ブタの紙の一部分に穴を開けて中身を出していたが、つめかえ時、紙部分を全部はがす事になり、コーヒーを出す都度スプーンが必要になり洗い物が増えるなど面倒だった。
【考案が解決しようとする課題】
【０００３】昨今はコーヒーを入れるたびにスプーンを用いる人は殆ど無く、紙の一部に穴を開けて出す人が多いが、パッキンを取り付ければ、近頃主流になって来ているコーヒー詰め替えパック詰め替え後もスプーンをわざわざ使用する事なく気軽に中身を出す事が出来る。
【課題を解決するための手段】
【０００４】本考案は、コーヒーびんの内ブタに、１ヶ所の穴の開いたパッキンを取り付け、ふりかけ等の中パッキンと同じ構造にし、取り付けても上ブタの開閉可能にする事で問題点を解決している。
【考案の効果】
【０００５】上記の様に詰め替え時に、中ブタの紙を全部取る為スプーンがないと中身が取り出せない面倒さを取りはずし、くり返し使用可能な一部に穴の開いたパッキンを取り付ける事により物も汚さず、周りも汚さず手軽に中身をカップに入れる事が出来る。
【考案の実施するための最良の形態】
【０００６】各メーカーに合わせた直径の穴開きパッキンを作り、ふりかけやコショーびんの中ブタパッキンの様に、びん口に取り付けるだけ。
【図１】
0003146295.tif 000003
【図２】
0003146295.tif 000004
【手続補正書】
【提出日】平成20年7月15日(2008.7.15)
【手続補正１】
【補正対象書類名】明細書
【補正の内容】
0003146295.tif 000005
0003146295.tif 000006
0003146295.tif 000007
0003146295.tif 000008
【手続補正書】
【提出日】平成20年9月4日(2008.9.4)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【技術分野】
【０００１】本考案は、市販コーヒーびんの中ブタにプラスチック製の取りはずし可能な穴開きフリカケ部を設けたパッキンに関するものである。
【背景技術】
【０００２】いつも中ブタの紙の一部分に穴を開けて中身を出していたが、つめかえ時、紙部分を全部はがす事になり、コーヒーを出す都度スプーンが必要になり洗い物が増えるなど面倒だった。
【考案が解決しようとする課題】
【０００３】昨今はコーヒーを入れるたびにスプーンを用いる人は殆ど無く、紙の一部に穴を開けて出す人が多いが、パッキンを取り付ければ、近頃主流になって来ているコーヒー詰め替えパック詰め替え後もスプーンをわざわざ使用する事なく気軽に中身を出す事が出来る。
【課題を解決するための手段】
【０００４】本考案は、コーヒーびんの内ブタに、一ヶ所の穴の開いたパッキンを取り付け、ふりかけ等の中パッキンと同じ構造にし、取り付けても上ブタの開閉可能にする事で問題点を解決している。
【考案の効果】
【０００５】上記の様に詰め替え時に、中ブタの紙を全部取る為スプーンがないと中身が取り出せない面倒さを取りはずし、くり返し使用可能な一部に穴の開いたパッキンを取り付ける事により物も汚さず、周りも汚さず手軽に中身をカップに入れる事が出来る。
【考案の実施するための最良の形態】
【０００６】各メーカーに合わせた直径の穴開きパッキンを作り、ふりかけやコショーびんの中ブタパッキンの様に、びん口に取り付けるだけ。
【図面の簡単な説明】
【０００７】
【図１】は、パッキンを上から見た図である。
【図２】は、パッキンをビンに取り付けた図である。
(57)【要約】      （修正有）【課題】もらっても使い勝手が悪くカサばるばかりのポケットティッシュを、ビニールから出した中身を重ねてＢｏｘに入れる事により、無駄なく使いやすくしたティッシュＢｏｘを提供する。【解決手段】上ブタを開けてビニールから出したティッシュを重ねて入れ、あとは普通のティッシュＢｏｘの様に使う事で、使う頻度の低い、カサばる一方のポケットティッシュを気軽に効率よく使える様になる。【選択図】図１
0003146296.tif 000002
【実用新案登録請求の範囲】
【請求項１】
多量にもらったポケットティッシュを１ヶ所にまとめ、効率よく便利に使える様に通常のティッシュＢｏｘをヒントにした、上ブタを取りはずしポケットティッシュの束を重ねて入れくり返し使用可能な「ポケットティッシュＢｏｘ」。
【考案の詳細な説明】
【技術分野】
【０００１】ポケットティッシュを邪魔にならず効率よく使用するのを目的としたティッシュＢｏｘに関するものです。
【背景技術】
【０００２】多量にもらったポケットティッシュがたまり、外では携帯に便利だが、家で使用する際片手で取れない等使い勝手が悪かったので結局市販のティッシュＢｏｘばかりを使い、どんどん増えて、かさばる一方になってしまった。
【考案が解決しようとする課題】
【０００３】小さくて、かさばるポケットティッシュをビニール袋から出して、一まとめにし市販のティッシュＢｏｘの様に使えば、無駄もなくなり使い勝手も良い。
【課題を解決する為の手段】
【０００４】ポケットティッシュの大きさにしたティッシュＢｏｘにし、上ブタ取りはずし可能の、くり返し使えるミニティッシュＢｏｘにした。
【考案の効果】
【０００５】ポケットティッシュの中身を何層かに重ねてティッシュＢｏｘに入れる事により使用頻度の少なかった、たまる一方のポケットティッシュが効率よく無駄なく使える様になる。
【考案の実施するための最良の形態】
【０００６】上からかぶせる上ブタと、下の受け皿構造にして、何度でも使用可能、詰め替え可能な使様にした。
【図１】
0003146296.tif 000003
【図２】
0003146296.tif 000004
【手続補正書】
【提出日】平成20年7月15日(2008.7.15)
【手続補正１】
【補正対象書類名】明細書
【補正の内容】
0003146296.tif 000005
0003146296.tif 000006
0003146296.tif 000007
0003146296.tif 000008
【手続補正書】
【提出日】平成20年9月4日(2008.9.4)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【技術分野】
【０００１】ポケットティッシを邪魔にならず効率よく使用するのを目的としたティッシュＢｏｘに関すものです。
【背景技術】
【０００２】多量にもらったポケットティッシュがたまり、外では携帯に便利だが、家で使用する際片手で取れない等使い勝手が悪かったので結局市販のティッシュＢｏｘばかりを使い、どんどん増えて、かさばる一方になってしまった。
【考案が解決しようとする課題】
【０００３】小さくて、かさばるポケットティッシュをビニール袋から出して、一まとめにし市販のティッシュＢｏｘの様に使えば、無駄もなくなり使い勝手も良い。
【課題を解決する為の手段】
【０００４】ポケットティッシュの大きさにしたティッシュＢｏｘにし、上ブタ取りはずし可能の、くり返し使えるミニティッシュＢｏｘにした。
【考案の効果】
【０００５】ポケットティッシュの中身を何層かに重ねてティッシュＢｏｘに入れる事により使用頻度の少なかった、たまる一方のポケットティッシュが効率よく無駄なく使える様になる。
【考案の実施するための最良の形態】
【０００６】上からかぶせる上ブタと、受け皿構造にして、何度でも使用可能、詰め替え可能な使様にした。
【図面の簡単な説明】
【０００７】
【図１】は上ブタと受け皿の構造図である。
【図２】は上ブタと受け皿をはめ込んだ図である。
(57)【要約】      （修正有）【課題】長時間のパチンコに対し視力を守り、耳せんをする事で肩こり、耳なり、頭痛を防止するサングラスを提供する。【解決手段】サングラスにひもで耳せんを付けた物で、耳せんの収納も可能。パチンコ以外の例えば子供の長時間のゲーム等でも使用できるように工夫した。眼鏡の上から使用できるゴーグルタイプのものも可能である。【選択図】図１
0003146291.tif 000002
【実用新案登録請求の範囲】
【請求項１】
パチンコ用サングラス（耳せん付）
【考案の詳細な説明】
【図１】
0003146291.tif 000003
【図２】
0003146291.tif 000004
【手続補正書】
【提出日】平成20年6月25日(2008.6.25)
【手続補正１】
【補正対象書類名】実用新案登録請求の範囲
【補正対象項目名】全文
【補正方法】変更
【補正の内容】
【実用新案登録請求の範囲】
【請求項１】
：「耳せん付パチンコ用サングラス」
【手続補正２】
【補正対象書類名】明細書
【補正対象項目名】全文
【補正方法】追加
【補正の内容】
【考案の詳細な説明】
【考案の詳細な説明】
（下記の必要部分を記載してください。）
【技術分野】（注）見出しの横には何も記載しないでください。）【０００１】（段落番号の横には何も記載しないでください。）
ここから書き始めてください。・・・・・・・・・・・・
【背景技術】
【０００２】パチンコをする日本国民の目と耳の保全の為
【考案の開示】
【考案が解決しようとする課題】
【・・・・】
特になし
【課題を解決するための手段】
【・・・・】
なし
【考案の効果】
【・・・・】
ポケモン事件から１０年間臨床実験した結果視力も落ちない、肩こりがない、難聴なし。
【考案を実施するための最良の形態】
【・・・・】
図参照
【実施例】
【・・・・】
１０年間▲１▼「耳せんなし裸眼」と▲２▼「耳せん付サングラス」で実験した。▲１▼は視力が低下・肩こり・難聴になった。
【産業上の利用可能性】
【・・・・】
サングラスメーカーと要相談。
【図面の簡単な説明】
【・・・・】
図１は裸眼の方使用の図
図２は目がねの方使用の図
【手続補正書】
【提出日】平成20年9月8日(2008.9.8)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
耳せん付パチンコ用サングラス
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【背景技術】
【０００１】パチンコをする日本国民の目と耳の保全の為
【考案の効果】
【０００２】ポケモン事件から１０年間臨床実験した結果視力も落ちない、肩こりがない、難聴なし。
【考案を実施するための最良の形態】
【０００３】図参照
【実施例】
【０００４】１０年間▲１▼「耳せんなし裸眼」と▲２▼「耳せん付サングラス」で実験した。▲１▼は視力が低下・肩こり・難聴になった。
【産業上の利用可能性】
【０００５】サングラスメーカーと要相談。
【図面の簡単な説明】
【０００６】
【図１】は裸眼の方使用の図
【図２】は目がねの方使用の図
(57)【要約】      （修正有）【課題】車両自体の急激な減速や衝突を自動的に後続車両に知らせる車両追突防止装置を提供する。【解決手段】振子２は支点軸１を支点とする振子であり、振子止４および電磁石６の間は自由に移動する。振子の慣性力を大ならしむ鉄製錘兼振子５であり、車両が加速されつつある場合には慣性の法則によって振子は車両の進行方向の逆すなわち後部に強く押し付けられ、等速走行の場合振子はほぼ安定した状態で静止しているが車両の急減速の場合、振子２は車両進行方向即ち前部へ移動する慣性力が働き、錘５は電磁石６に近づくとともに振子上部のカムの動作によりスイッチ３が作動し電磁石が働き振り子の最短にある鉄製錘が電磁石に近づき吸引される。この時振子２の移動によりスイッチ３を作動させ、警告灯が点滅され後続車両に前車両の急減速をすばやく知らせることができる。【選択図】図１
0003146298.tif 000002
【実用新案登録請求の範囲】
【請求項１】
ケース中央支点軸１を支点とする、振子２振子最下部に鉄製錘５振子止４、ケース左側の電磁石６右上部レバー式スイッチ３、上記を収納するケース７からなる車両追突防止装置
【考案の詳細な説明】
【技術分野】
【０００１】  本考案は自動車車内の運転席下部に装置収納箱を取り付ける、自動車用装置に関するものである。
【背景技術】
【０００２】  車両追突が起きた場合ブレーキランプが点滅する場合があるが、ブレーキランプとテールランプとの識別が難しい。このため後続車両が気づきにくい状態であり、多重追突が起きる可能性が高くなっている。
【考案の開示】
【考案が解決しようとする課題】
【０００３】  高速道路における追突事故は多重衝突を引き起こすことが多くなっている。このような多重追突事故は最初に事故を起こした車両の急停止を早期に確認できない後続車両が多いためであると考えられる。前を走る車両が減速する場合主としてブレーキペダルを踏むことにより、後続車両に減速または停止を知らせているのが現状であるが、これは車両のブレーキ操作の有無を知らせるだけでその減速の程度すなわち徐行、急減速、急停止の状態を後続車両は予測するのみにとどまる。
【課題を解決するための手段】
【０００４】  本考案はブレーキの動作は無論、車両自体の急激な減速や衝突を自動的にハザードランプを点滅させることにより後続車両に知らせるものであり、それにより後続車両の追突を防ぐ効果が見込まれる。
【考案の効果】
【０００５】  上述のように、本考案の追突防止装置は突然の衝突事故により、後続車両が事故に気づかず多重衝突を回避することができ、たとえ事故で気を失ったり、事故を知らせることができない状態に陥った場合であっても、この装置が自動的に作動し後続車両に事故を知らせることができることにより、多重事故を回避することに有効である。
【考案を実施するための最良の形態】
【０００６】
【実施例】
【０００７】  以下、添付図面に従って実施例を説明する。第１図は本体ケース内部を示している。振子２は支点軸１を支点とする振子であり、振子止４および電磁石６の間は自由に移動する。振子の慣性力を大ならしむ鉄製錘兼振子５であり、車両が加速されつつある場合には慣性の法則によって振子は車両の進行方向の逆すなわち後部に強く押し付けられ、等速走行の場合振子はほぼ安定した状態で静止しているが車両の急減速の場合、振子２は車両進行方向即ち前部へ移動する慣性力が働き、錘５は電磁石６に近づくとともに振子上部のカムの動作によりスイッチ３が作動し電磁石が働き振り子の最短にある鉄製錘が電磁石に近づき吸引される。この時振子２の移動によりスイッチ３を作動させ、第２図のスイッチ、イとロが入り、警告灯ハが点滅され後続車両に前車両の急減速をすばやく知らせることができる。【０００８】この振子２は急激な速度の変化により前方への慣性力が働くが普通に車両が停止する場合には振子２の動きは少なくスイッチ３の作動は行われないため後続車両には影響はない。【０００９】  再度発進する場合には振子を元に戻すため、スイッチ、イを手動により元に戻す。
【図面の簡単な説明】
【００１０】
【図１】正面図である
【図２】回路結線説明図である
【符号の説明】
【００１１】１  支点軸
２  振子
３  スイッチ
４  振子止
５  錘
６  電磁石
７  ケース
イ  手動スイッチ
ロ  ３の自動スイッチ
ハ  警告灯
ニ  電源
【図１】
0003146298.tif 000003
【図２】
0003146298.tif 000004
(57)【要約】      （修正有）【課題】大きな幅広のものも、小さなものも、簡単に好みの位置に吊すことができる洗濯バサミを提供する。【解決手段】上部ハサミバネ２によりはさみ得る上部ハサミ本体１と、下部ハサミバネ４によりはさみ得る下部ハサミ本体３とが、上部ハサミバネ２と下部ハサミバネ４とで上下連結用鎖５で連結されている親子バサミである。【選択図】図１
0003146300.tif 000002
【実用新案登録請求の範囲】
【考案の詳細な説明】
【技術分野】
【０００１】  本考案は洗濯物を干す時に洗濯竿から吊り下げることに関するものである。
【考案の技術】
【０００２】  大きい方のハサミで洗濯竿をはさんで、その下の小さいハサミで洗濯物をはさんで吊るす。
【考案の開示】
【考案が解決しようとする課題】
【０００３】  洗濯物を干す器具は色々あるが、大きな幅広のものも、小さなものも、簡単に好みの位置に吊るすことができる。
【課題を解決するための手段】
【０００４】  本考案は、従来、多きいハサミで洗濯竿の上方から洗濯竿と洗濯物をはさんでいたものを、上下に大小の洗濯バサミを連結することによって課題を解決している。またこれによって、洗濯竿側・洗濯物側の固定が強化されるので、少々の風でも洗濯物がはずれることなく安心である。
【考案の効果】
【０００５】  上述の様に、本考案の親子バサミは洗濯物をハサミからはずした後もすぐ片付けることができる。かさばらないので洗濯竿の端にまとめて吊るして置くことも、小さな容器に収納することも可能である。
【考案を実施するための最良の形態】
【０００６】  親子バサミは、大きい方のハサミは洗濯竿に固定し、小さい方のハサミは洗濯物をはさんで吊るす。材質はプラスチック製とし、これによって色もカラフルに組み合わせを楽しむことができる。
【実施例】
【０００７】  以下、添付図面に従って一定実施例を説明する。１は耐久性プラスチック等適宜素材にて形成されたもの。２は金属製バネ素材で、１と２によって洗濯竿をはさむ。
３は耐久性プラスチック等適宜素材にて形成されたもの。４は金属製バネ素材で、３と４によって洗濯物をはさむ。５は上下（大小）のハサミをつなぐ耐久性プラスチック等適宜素材による鎖。
【図面の簡単な説明】
【０００８】
【図１】本考案の親子バサミを示す正面図である。
【図２】本考案の親子バサミを示す側面図である。
【符号の説明】
【０００９】１  上部ハサミ本体
２  上部ハサミバネ
３  下部ハサミ本体
４  下部ハサミバネ
５  上下連結用鎖
【図１】
0003146300.tif 000003
【図２】
0003146300.tif 000004
【手続補正書】
【提出日】平成20年8月4日(2008.8.4)
【手続補正１】
【補正対象書類名】実用新案登録請求の範囲
【補正対象項目名】全文
【補正方法】変更
【補正の内容】
【実用新案登録請求の範囲】
【請求項１】
上部ハサミバネによりはさみ得る上部ハサミ本体と、下部ハサミバネによりはさみ得る下部ハサミ本体とからなる親子バサミであって、前記上部バネと前記下部バネとが上下連結用鎖によって連結されていることを特徴とする親子バサミ。
(57)【要約】      （修正有）【課題】簡単に絵が描ける封筒・便箋を提供する。【解決手段】封筒・便箋の余白部分に塗り絵の下絵線画を印刷する。下絵線画を選んで塗り絵を描くことにより、相手方に文章だけでは伝わりにくいことも伝わる。又、塗り絵があるため、それをヒントに簡単に文章を書くことができる。しかも、下絵線画を選ぶ事により文章のテーマに合った塗り絵を描くことができる。【選択図】図２
0003146299.tif 000002
【実用新案登録請求の範囲】
【請求項１】
封筒に塗り絵が簡単に出来るように下絵の線画を印刷する、これによりを簡単に絵が書けるようにしたもの。
【請求項２】
便箋に塗り絵が簡単に出来るように下絵の線画を印刷する、これによりを簡単に絵が書けるようにしたもの。
【考案の詳細な説明】
【技術分野】
【０００１】  この考案は、封筒・便箋の部分に塗り絵の線画を印刷し、受け手に、より強いメッセージが与えられる。
【背景技術】
【０００２】  従来の封筒・便箋は絵や写真が印刷されたものはあったが印刷されていたため独創性に乏しかった。
【考案の開示】
【考案が解決しようとする課題】
【０００３】従来の封筒・便箋などの紙面に塗り絵用の下絵線画を印刷する。
【課題を解決するための手段】
【０００４】封筒・便箋の余白部分に塗り絵の下絵線画を印刷する。
塗り絵を選んで塗り絵を描く。又、塗り絵があるためそれをヒントに簡単に文章を書くことが出来る。
【考案の効果】
【０００５】下絵線画を選んで塗り絵を描くことにより、相手方に文章だけでは伝わりにくいことも伝わる。よって、文章も簡単に書ける。しかも下絵線画を選ぶ事により文章のテーマが選べる。
【考案を実施するための最良の形態】
【０００６】従来の封筒・便箋などに塗り絵の下絵となる線画を印刷する。
【実施例】
【０００７】従来の封筒・便箋などに、いろいろな風景など塗り絵の下絵となる線画を印刷する。
【図面の簡単な説明】
【０００８】
【図１】この考案の一実施形態を示す平面図である。
【図２】この考案の一実施形態を示す平面図である。
【符号の説明】
【０００９】１  封筒の基本的な構成全体図。
１−１  塗り絵部分。
２  便箋の基本的な構成全体図。
２−１  塗り絵部分。
【図１】
0003146299.tif 000003
【図２】
0003146299.tif 000004
【手続補正書】
【提出日】平成20年8月5日(2008.8.5)
【手続補正１】
【補正対象書類名】実用新案登録請求の範囲
【補正対象項目名】全文
【補正方法】変更
【補正の内容】
【実用新案登録請求の範囲】
【請求項１】
封筒に塗り絵が簡単に出来るように下絵の線画を印刷する、これにより簡単に絵が描けるようにしたもの。
【請求項２】
Ａ５、Ｂ５、Ａ４の各サイズに塗り絵が簡単に出来るように下絵の線画を印刷する、これにより簡単に絵が描けるようにしたもの。
(57)【要約】【課題】  本考案は、内側をＣ形曲面、外側を大柄な多曲面とする幅広の平面体にて形成して開かないようにして嵌着による飲料入りボトルの支持力を著しく強化しながら、押しボタンを押すと切込み溝を挟んで幅広平面体のクリップが柔軟にしなって嵌着したボトルより簡単に抜き外すことができるようにしたボトルクリップを新規に提供するものである。【解決手段】  本考案は飲料入りボトルの首部に抜き外し自在に嵌着して手提げ携帯を可能にするようにしたボトルクリップにおいて、該クリップを内側にＣ形曲面，外側を大柄な多曲面とする幅広の平面体にて形成し、中心の外出曲面の内側上面に押しにより抜き外しを簡単にする押しボタンとその両側に内端開口の切込み溝を設けて構成したことを特徴とするボトルクリップにある。【選択図】  図４
0003146217.tif 000002
【実用新案登録請求の範囲】
【請求項１】
飲料入りボトルの首部に抜き外し自在に嵌着して手提げ携帯を可能にするようにしたボトルクリップにおいて、該クリップを内側にＣ形曲面，外側を大柄な多曲面とする幅広の平面体にて形成し、中心の外出曲面の内側上面に押しにより抜き外しを簡単にする押しボタンとその両側に内端開口の切込み溝を設けて構成したことを特徴とするボトルクリップ。
【請求項２】
切込み溝を２乃至複数本づつ設ける請求項１に記載のボトルクリップ。
【請求項３】
ボトルクリップは両側に手提げ紐の取付部を設ける請求項１または２に記載のボトルクリップ。
【考案の詳細な説明】
【技術分野】
【０００１】
この考案はボトルクリップ、詳しくは飲料入りボトルの首部に抜き外し自在に嵌着して該ボトルを手提げ携帯するようにしたボトルクリップに関するものである。
【背景技術】
【０００２】
この種の考案としては登録実用新案第３０４１６５４号公報がある。該公報は容器Ａの首部Ａｂに嵌着可能な吊下げ具本体２の周縁部に吊下げ手段３を係止するための係止部２ｅを設けることと、吊下げ具本体２の内面に首部Ａｂの傾斜面に当て止めするリブ２ｄを並設したことを記載している。
【特許文献１】登録実用新案第３０４１６５４号公報
【考案の開示】
【考案が解決しようとする課題】
【０００３】
しかしながら、該公報の吊下げ具本体２は内面にリブ２ｄを並設していることで剛性が増して、ボトルの首部に着脱することが容易でなく、特に抜き外しが容易でないという課題がある。
【課題を解決するための手段】
【０００４】
本考案は、飲料入りボトルの首部に抜き外し自在に嵌着して手提げ携帯を可能にするようにしたボトルクリップにおいて、該クリップを内側にＣ形曲面，外側を大柄な多曲面とする幅広の平面体にて形成し、中心の外出曲面の内側上面に押しにより抜き外しを簡単にする押しボタンとその両側にしなりを作る内端開口の切込み溝を設けて構成して、かかる課題を解決したのである。
【考案の効果】
【０００５】
本考案は押しボタンを押すと切込み溝を挟んで幅広平面体のクリップが柔軟にしなって嵌着した飲料入りボトルより簡単に抜き外すことができるという効果を生ずる。
【０００６】
ボトルクリップは内側をＣ形曲面、外側を大柄な多曲面とする幅広の平面体にて形成して開かないようにしたので、嵌着による飲料入りボトルの支持力は著しく強化されて、大小各種の飲料入りボトルを吊下げることができて、しかもボトルをみだりに抜け外し脱落させないという効果を生ずる。
【０００７】
本考案のボトルクリップは外側の多曲面と幅広の平面体による斬新なデザインによって、高品質に評価されるという効果を生ずる。
【考案を実施するための最良の形態】
【０００８】
本考案は飲料入りボトルの首部に抜き外し自在に嵌着して手提げ携帯を可能にするようにしたボトルクリップにおいて、該クリップを内側にＣ形曲面，外側を大柄な多曲面とする幅広の平面体にて形成し、中心の外出曲面の内側上面に押しにより抜き外しを簡単にする押しボタンとその両側にしなり用のの切込み溝を設けて構成する。
【実施例１】
【０００９】
図１乃至図４は第１実施例であって、ボトルクリップ１は開口部２を挟んで内側をＣ形曲面３とし、外側を大柄な多曲面４にして総体に幅広の平面体にて形成する。４ａは外出曲面で等間隔を置いて５個並設しており、４ｂはその間の凹曲面で４個である。なお、外出曲面４ａと凹曲面４ｂはその数をそれぞれ増減変更することがある。
【００１０】
中心の外出曲面４ａ１の内側上面に同心円にてなる大きい押しボタン５とその両側に内端開口の切込み溝６を設ける。６ａは外端の裂け止め円孔、７ａ，７ｂは手提げ紐８の取付部である。
【００１１】
飲料入りボトル９のキャップ１０下の首部１１にボトルクリップ１を開口部２から押し嵌めて該ボトル９を支持して手提げ紐８を持って該ボトル９を直接携帯するのである。
【００１２】
ボトル９を抜き外すときは押しボタン５を押すのである。すると両側の切込み溝６を挟んで幅広平面体のボトルクリップ１は柔軟にしなってボトル９より簡単に抜き外し得るものとなる。切込み溝６は内端を開口６ｂし、外端に裂け止め円孔６ａを有すことで開き裂けしないで充分にしなり機能が働くこととなる。
【００１３】
図１の平面形にて示すように、本考案のボトルクリップ１は外側に大柄な多曲面４を有して且つ幅広の平面体にて形成しＣ形曲面３が開きによる変形を生じないようにしたので、嵌着時のボトル９の支持力は著しく強化されされてみだりにボトル９の抜け外れ脱落することがなくなり、大小各種の重い飲料入りボトル９も楽に吊下げ保持することができることとなる。しかも従来にない斬新なデザインによって品格を格段に向上させることができることとなる。
【００１４】
図５は第２実施例を示すもので、切込み溝６を２本づつにて設けたほかは前例と同じである。
【産業上の利用可能性】
【００１５】
本考案のボトルクリップはキャップ被せした大小各種の飲料入りボトルを携帯可能とすることで利用分野を広範に拡げることができる。
【図面の簡単な説明】
【００１６】
【図１】本考案の第１実施例を示すもので、（ａ）はボトルクリップの平面図と背面図、（ｂ）は同、手提げ紐を取付けた状態の平面図と背面図
【図２】（ａ）乃至（３）ボトルクリップを開口部から飲料入りボトルの首部に押し嵌める状態を示す平面図
【図３】ボトルクリップによりボトルを支持した携帯状態を示す押しボタン側から見た斜視図と内端開口側から見た斜視図
【図４】押しボタンを押してボトルを抜き外しつつある状態を示す部分斜視図
【図５】第２実施例のボトルクリップを示す平面図
【符号の説明】
【００１７】
１はボトルクリップ
２は開口部
３はＣ形曲面
４は大柄な多曲面
４ａは外出曲面
４ｂは凹曲面
５は押しボタン
６は切込み溝
６ａは外端の裂け止め円孔
６ｂは内端開口
７ａ，７ｂは手提げ紐の取付部
８は手提げ紐
９は飲料入りボトル
１０はキャップ
１１は首部
【図１】
0003146217.tif 000003
【図２】
0003146217.tif 000004
【図３】
0003146217.tif 000005
【図４】
0003146217.tif 000006
【図５】
0003146217.tif 000007
(57)【要約】      （修正有）【課題】書類を挟み容れた時の鮮明な主印刷面と、書類を抜き出したときに現れる副印刷面との間に明暗のコントラストを醸し出されるようにして高度に品格のあるクリアファイルを提供する。【解決手段】透視可能なクリアファイルの表紙上に主印刷面を形成し、裏表紙の内面上に書類を挟み容れたときに隠れ、書類を抜き出したときに現れる背景色などの副印刷面を設けたことを特徴とする。Ａ４サイズ、Ｂ５サイズ等の大きさのクリアファイル１の形成用に裁断した無色透明にてなるポリプロピレンシートの縦割りした一半に主印刷面３ａを形成し、裏返して他半に副印刷面３ｂを形成する。主印刷面３ａはクリアファイル１に挟み容れる書類名，絵柄などにてなり、副印刷面３ｂは背景色、例えば青空色と補助絵柄で構成する。【選択図】図１
0003146218.tif 000002
【実用新案登録請求の範囲】
【請求項１】
透視可能なクリアファイルの表紙上に主印刷面を形成し、裏表紙の内面上に書類を挟み容れたときに隠れ、書類を抜き出したときに現れる背景色などの副印刷面を設けたことを特徴とするクリアファイル。
【請求項２】
副印刷面はクリアファイルの組立て前の展開時に主印刷面の形成後に裏返して形成する請求項１に記載のクリアファイル。
【請求項３】
表紙の一部に飾り穴を設けて該飾り穴より副印刷面の一部を表出させる請求項１または２に記載のクリアファイル。
【考案の詳細な説明】
【技術分野】
【０００１】
この考案はクリアファイルに関するものである。
【背景技術】
【０００２】
この種のクリアファイルに登録実用新案第３１１０９３６号公報がある。該公報は表紙と裏表紙のそれぞれの内面に画像を印刷して、両画像に傷がつかないようにしたことを記載している。
【特許文献１】登録実用新案第３１１０９３６号公報
【考案の開示】
【考案が解決しようとする課題】
【０００３】
該公報は表紙と裏表紙のそれぞれの内面に画像を印刷するので、クリアファイル組立て前の展開時に両内面を上に向けることで同時に両画像を印刷することができるというメリットがあるが、それぞれの内面に画像を印刷するので、クリアファイルが無色透明ならば格別、半透明など、にごりがあるときは表紙の画像も不鮮明な状態になるという課題がある。
【課題を解決するための手段】
【０００４】
本考案は、透視可能なクリアファイルの表面上に主印刷面を形成し、裏表紙の内面上に書類を挟み容れたときに隠れ、書類を抜き出したときに現れる背景色などの副印刷面を設けて構成し、さらに表紙の一部に飾り穴を設けて裏表紙の内面上の副印刷面の一部を表出するようにして、かかる課題を解消したのである。
【考案の効果】
【０００５】
本考案は、クリアファイルが透明ならば勿論、半透明などにごりのある素材にて形成するときも主印刷面は鮮明な状態で外視されるという効果を生ずる。
【０００６】
また背景色などの副印刷面はファイルが半透明のときは色が薄らぐなどして主印刷面との間で明暗のコントラストを醸成するという効果を生ずる。
表紙に飾り穴を設けることで副印刷面の一部も鮮明に外視されるという効果を生ずる。
【考案を実施するための最良の形態】
【０００７】
本考案は、透視可能なクリアファイルの表面上に主印刷面を形成し、裏表紙の内面上に書類を挟み容れたときに隠れ、書類を抜き出したときに現れる背景色などの副印刷面を設け、書類を挟み容れた時の鮮明な主印刷面と、書類を抜き出したときに現れる副印刷面との間に明暗のコントラストを醸し出されるようにして高度に品格のあるクリアファイルを構成する。
【実施例１】
【０００８】
Ａ４サイズ，Ｂ５サイズ等の大きさのクリアファイル１の形成用に裁断した無色透明にてなるポリプロピレンシート２の縦割りした一半に主印刷面３ａを形成し、裏返して他半に副印刷面３ｂを形成する。
主印刷面３ａはクリアファイル１に挟み容れる書類名，絵柄などにてなり、副印刷面３ｂは背景色、例えば青空色と補助絵柄で構成する。
実施例１では主印刷面として桜の花を加え、副印刷面３ｂには花をつなぐ幹と枝を加えている。
次いでシート２は主印刷面３ａを表紙２ａ上にして中央の折り線２ｃにて縦折り合わせして、下端縁を溶着２ｄしてクリアファイル１とするのである。副印刷面３ｂは裏表紙２ｂの内面上に設けられることになる。なお、２ｅは表紙２ａの開き端に設けた指掛け溝である。
【０００９】
指掛け溝２ｅに手指を掛けてクリアファイル１を開いて書類Ａを挟み容れると、副印刷面３ｂは書類Ａによって隠れ、書類Ａを抜き出すと表紙２ａを通して外視されることとなる。
【００１０】
主印刷面３ａは表紙２ａ上に形成されていることから、クリアファイル１が無色透明ならば勿論のこと、半透明など、にごりがあっても鮮明に外視されることとなり、副印刷面３ｂは表紙２ａのにごりを通る過程で色が薄くなったりボケたりして、主印刷面３ａとの間で明暗のコントラストを醸成してクリアファイルに一段高い品格を与えることになる。
【実施例２】
【００１１】
図３は第２実施例を示し、表紙２ａの中間に１乃至数個の飾り穴３ｃを形成して該個所より副印刷面３ｂの一部を表紙２ａ上に現れるようにしたもので、副印刷面の３ｂの一部は飾り穴３ｃを通して鮮明に外視されることによって主印刷面３ａとの間の明暗のコントラストをバラエティに拡げることになる、他の構成と作用は前例と同じである。
【産業上の利用可能性】
【００１２】
本考案の表紙の上面に主印刷面を形成し、裏表紙の内面に副印刷面を形成するクリアファイルは多方面の書類挟みとして広く利用することができるものである。
【図面の簡単な説明】
【００１３】
【図１】（ａ）は書類の挟み容れ前の状態にて示す平面図、（ｂ）は書類を挟み容れたときの平面図
【図２】組立て前の展開時における印刷工程を示すもので、（ａ）は表紙上に主印刷を施した正面図とその平面図、（ｂ）は裏返して裏表紙内面上に副印刷を施した状態の正面図とその平面図
【図３】（ａ）は表紙の中間に飾り穴を形成した第２実施例を書類を挟み容れた状態にて示す斜視図、（ｂ）は同、書類を抜き出した状態の斜視図
【符号の説明】
【００１４】
１はクリアファイル
２はポリプロピレンシート
２ａは表紙
２ｂは裏表紙
２ｃは折り線
２ｄは溶着
２ｅは指掛け溝
３ａ主印刷面
３ｂは副印刷面
３ｃは飾り穴
Ａは書類
【図１】
0003146218.tif 000003
【図２】
0003146218.tif 000004
【図３】
0003146218.tif 000005
(57)【要約】      （修正有）【課題】センサで事故を察知し、車両の外部に設置したエアバッグを制御して、車両の運転の安全性を図る車システムを提供する。【解決手段】緊急時に作動して、人身事故や他車との衝撃を吸収して事故を軽減すべく、自動車及びトラック自動車１の外部のフロント及びバックにエアバッグ２を設け、かつ、内蔵の赤外線センサと内蔵のコンピュータにより事故を察知し、エアバッグを開く安全装置を作動させるように構成する。【選択図】図１
0003146288.tif 000002
【実用新案登録請求の範囲】
【請求項１】
自動車及びトラック自動車（１）の外のフロント及びバックに緊急時にエア・バック（２）が作動して人身事故や他車との衝撃を吸収して事故を軽減する車における実願である
【考案の詳細な説明】
【技術分野】
【０００１】自動車及びトラック自動車（１）の外のフロント及びバックに緊急時にエア・バック（２）が作動して人身事故や他車との衝撃を吸収して事故を軽減する車における実願である
【背景技術】
【０００２】従来の自動車トラックには外にエア・バックがなかった
【考案が解決しようとする課題】
【０００３】自動車及びトラック自動車（１）の外のフロント及びバックに緊急時にエア・バック（２）が作動して人身事故や他車との衝撃を吸収して事故を軽減する車における実願である
【課題を解決するための手段】
【０００４】自動車及びトラック自動車（１）の外のフロント及びバックに緊急時にエア・バック（２）が作動して人身事故や他車との衝撃を吸収して事故を軽減する車における事故の削減化を図る
【考案の効果】
【０００５】上記の成分で  自動車トラックの安全に関する効果がある
【考案を実施するための最良の形態】
【０００６】自動車及びトラック自動車（１）の外のフロント及びバックに緊急時にエア・バック（２）が作動して人身事故や他車との衝撃を吸収して事故を軽減する車における事故の削減化を図る
【実施例１】
【０００７】自動車及びトラック自動車（１）の外のフロント及びバックに緊急時にエア・バック（２）が作動して人身事故や他車との衝撃を吸収して事故を軽減する車における事故の削減化を図る。
【図面の簡単な説明】
【０００８】
【図１】本考案の自動車トラック安全化の立体図である
【符号の説明】
【０００９】（１）は、自動車及びトラック
（２）は、エア・バック
【図１】
0003146288.tif 000003
【手続補正書】
【提出日】平成20年4月3日(2008.4.3)
【手続補正１】
【補正対象書類名】実用新案登録請求の範囲
【補正対象項目名】全文
【補正方法】変更
【補正の内容】
【実用新案登録請求の範囲】
【請求項１】
自動車及びトラック自動車（１）の外のフロント及びバックに緊急時エア・バッグ（２）が作動して人身事故や他車との衝撃を吸収して事故を軽減する車における実願で内蔵の赤外線センサーと内蔵のコンピュータにより安全装置が作動す。
【手続補正書】
【提出日】平成20年6月6日(2008.6.6)
【手続補正１】
【補正対象書類名】実用新案登録請求の範囲
【補正対象項目名】全文
【補正方法】変更
【補正の内容】
【実用新案登録請求の範囲】
【請求項１】
自動車及びトラック自動車（１）の外のフロント及びバッグに緊急時にエア・バッグ（２）が作動して人身事故や他車との衝撃を吸収して事故を軽減する車における実願で内蔵の赤外線センサーと内蔵のコンピュータにより事故を察知しエア・バッグがひらく安全装置が作動する車システムである。
【手続補正２】
【補正対象書類名】明細書
【補正対象項目名】全文
【補正方法】変更
【補正の内容】
【考案の詳細な説明】
【技術分野】
【０００１】自動車及びトラック自動車（１）の外のフロント及びバッグに緊急時にエア・バッグ（２）が作動して人身事故や他車との衝撃を吸収して事故を軽減する車における実願で内蔵の赤外線センサーと内蔵のコンピュータにより事故を察知してエア・バッグがひらく安全装置が作動する車システムである。
【背景技術】
【０００２】従来の自動車トラックには外にエア・バッグがなかった
【考案が解決しようとする課題】
【０００３】自動車及びトラッグ自動車（１）の外のフロント及びバッグに緊急時にエア・バッグ（２）が作動して人身事故や他車との衝撃を吸収して事故を軽減する車における実願で内蔵の赤外線センサーと内蔵のコンピュータにより事故を察知してエア・バッグがひらく安全装置が作動する車システムである。
【課題を解決するための手段】
【０００４】自動車及びトラック自動車（１）の外のフロント及びバックに緊急時にエア・バッグ（２）が作動して人身事故や他車との衝撃を吸収して事故を軽減する車における事故の削減化を図る。
【考案の効果】
【０００５】上記の成分で、自動車トラックの安全に関する効果がある。
【考案を実施するための最良の形態】
【０００６】自動車及びトラック自動車（１）の外のフロント及びバックに緊急時にエア・バッグ（２）が作動して人身事故や他車との衝撃を吸収して事故を軽減する車における事故の削減化を図る。
【実施例１】
【０００７】自動車及びトラック自動車（１）の外のフロント及びバックに緊急時にエア・バッグ（２）が作動して人身事故や他車との衝撃を吸収して事故を軽減する車における事故の削減化を図る。
【図面の簡単な説明】
【０００８】
【図１】本考案の自動車トラック安全化の立体図である。
【符号の説明】
【０００９】（１）は、自動車及びトラック
（２）は、エア・バッグ
【手続補正３】
【補正対象書類名】図面
【補正対象項目名】全図
【補正方法】変更
【補正の内容】
【図１】
0003146288.tif 000004
【手続補正書】
【提出日】平成20年8月8日(2008.8.8)
【手続補正１】
【補正対象書類名】実用新案登録請求の範囲
【補正対象項目名】請求項１
【補正方法】変更
【補正の内容】
【請求項１】
自動車及びトラック自動車（１）の外のフロント及びバックに緊急時にエア・バッグ（２）を設け、緊急時にエア・バッグ（２）が作動して人身事故や他車との衝撃を吸収して事故を軽減する車における実願で内蔵の赤外線センサーと内蔵のコンピュータにより事故を察知しエア・バッグがひらく安全装置が作動する車システム。
(57)【要約】      （修正有）【課題】熱アスファルト防水層とＳ造デッキプレート上躯体コンクリートとの間に通気帯を設け、躯体コンクリートに含有される水分の気化膨脹圧力を外部に解放することで防水層の脹れを防止するアスファルトルーフィングを提供する。【解決手段】通気帯１，２を防水施工に先行して設置する。通気帯１で全体の膨脹圧力を吸収し、立上り通気帯２を通して外部に解放して、内部の圧力を緩和する。それによって防水層と躯体コンクリートとの界面剥離、防水層間の剥離が発生する事を防止する。【選択図】図１
0003146287.tif 000002
【実用新案登録請求の範囲】
【請求項１】
アスファルト防水層とＳ造コンクリート躯体との間に通気帯を設け、外部と通気させることで、コンクリート躯体の含有水分が気化膨脹して発生するアスファルト防水層の脹れを防止する。
【考案の詳細な説明】
【技術分野】
【０００１】  本考案はＳ造躯体コンクリートと防水層との間に通気帯を設けた熱アスファルト防水に関するものである。
【背景技術】
【０００２】  Ｓ造デッキプレート上の躯体コンクリートに密着施工された熱アスファルト防水層は、コンクリート含有水分の熱膨張に起因する脹れが発生していた。
【考案の開示】
【考案が解決しようとする課題】
【０００３】  コンクリート躯体は、配合時の水の混入、空気中の湿度、降雨等の影響を受けて内部に水分を含有し、含水率が８％以下になる事は稀少である。従って密着熱アスファルト防水層と躯体コンクリートとの間に通気帯を設ける事によって含有水分の熱膨脹による脹れを防止しようとするものである。
【課題を解決するための手段】
【０００４】  本考案は、通気帯として設置するテープ状ルーフィングを躯体コンクリートに部分的に付着させることにより生じる空隙を利用して、躯体コンクリートの含有水分が熱膨張して生じる圧力を吸収し外部に排出することにより、防水層と躯体コンクリートとの間に発生する脹れの原因を排除することにより問題を解決している。
【考案の効果】
【０００５】  本考案のアスファルト通気帯工法は、部分的線状に通気層を設ける事により、雨水の浸入が全体に亘る危険のある全面浮かし工法に比較して、雨水の浸入を最小部分に止める密着工法でありながら、全体の含有水分熱膨脹圧力を緩和させる事ができ、使用部材及び廃棄物の増大を抑制する事にも役立つ。
【考案を実施するための最良の形態】
【０００６】  通気帯はアスファルトプライマーを塗布する前に縦横５ｍ〜１５ｍの間隔を置いて設け、防水施工面全体に均等に割り付けるようにする。
【実施例】
【０００７】以下添付図面に従って一実施例を説明する。
▲１▼はアスファルトルーフィングを素材とした帯状の部材。▲２▼は同じ素材の立上り通気帯で、通気帯を通った膨脹空気は端末から外部に放出される。▲３▼は雨仕舞金物で、端末開口部を雨水の浸入から保護する。【０００８】  ▲９▼は通気帯によってできる空隙の部分である。膨脹空気は空隙を通り立上り通気帯に達し外部に放出される。
【図面の簡単な説明】
【０００９】
【図１】本考案の通気帯施工実施例を示す図である。
【図２】通気帯の断面図である
【符号の説明】
【００１０】  ▲１▼  通気帯用アスファルトルーフィングテープ
▲２▼  立上り通気帯用アスファルトルーフィングテープ
▲３▼  雨仕舞金物
▲４▼  押えアスファルトコンクリート
▲５▼  アスファルト防水層
▲６▼  アスファルトプライマー
▲７▼  躯体コンクリート
▲８▼  デッキプレート
▲９▼  通気帯下の空隙部分
▲１０▼  金物端部シーリング
【図１】
0003146287.tif 000003
【図２】
0003146287.tif 000004
【手続補正書】
【提出日】平成19年12月27日(2007.12.27)
【手続補正１】
【補正対象書類名】実用新案登録請求の範囲
【補正対象項目名】全文
【補正方法】変更
【補正の内容】
【実用新案登録請求の範囲】
【請求項１】
Ｓ造コンクリート躯体に通気帯用テープ状アスファルトルーフィングを貼付した後に熱アスファルト防水を施工する事で、コンクリート躯体の含有水分が気化膨脹して発生する圧力を通気帯を通して外部に解放し、アスファルト防水層の脹れを防止することを目的とした、通気帯用テープ状アスファルトルーフィングと密着熱アスファルト防水を組合せて施工するアスファルト通気帯工法である。
【手続補正書】
【提出日】平成20年3月14日(2008.3.14)
【手続補正１】
【補正対象書類名】実用新案登録請求の範囲
【補正対象項目名】全文
【補正方法】変更
【補正の内容】
【実用新案登録請求の範囲】
【請求項１】
Ｓ造コンクリート躯体に通気帯用テープ状アスファルトルーフィングを貼付した後に熱アスファルト防水を施工する事で、コンクリート躯体の含有水分が気化膨脹して発生する圧力を通気帯を通して外部に解放し、それによってアスファルト防水層の脹れを防止するための下地に先行粘着させる通気帯用テープ状アスファルトルーフィングである。
【手続補正書】
【提出日】平成20年5月30日(2008.5.30)
【手続補正１】
【補正対象書類名】実用新案登録請求の範囲
【補正対象項目名】全文
【補正方法】変更
【補正の内容】
【実用新案登録請求の範囲】
【請求項１】
Ｓ造コンクリート躯体に通気帯用テープ状アスファルトルーフィングを貼付した後に密着熱アスファルト防水を施工する事によって、コンクリート駆体の上にアスファルト防水とテープ状アスファルトルーフィングが積層された部分ができる。その部分は弱接着のため、駆体に含有された水分が気化膨脹することによって発生した圧力が作用してテープとコンクリートの間に空隙が生じ、それを通して圧力を外部に解放する。
密着熱アスファルト防水層と巾１００ｍｍのテープが一体化することにより通気帯層を形成する事を目的とし、溶融アスファルトで防水層との密着積層をさせるため、プライマー工程に先行して貼り付ける厚２ｍｍの通気帯用テープ状アスファルトルーフィング。
【手続補正書】
【提出日】平成20年8月5日(2008.8.5)
【手続補正１】
【補正対象書類名】実用新案登録請求の範囲
【補正対象項目名】全文
【補正方法】変更
【補正の内容】
【実用新案登録請求の範囲】
【請求項１】
Ｓ造デッキプレートのコンクリート躯体の上に、密着熱アスファルト防水を施工するに際し、弱接着によって通気帯として機能する部分を防水層内部に予め設けるための、厚２ｍｍ、巾１００ｍｍの通気帯用テープ状アスファルトルーフィング。